(57)【要約】【課題】情報保持体の取付本体に、固有情報を格納した情報担体を取付ける他に、ＩＤ情報を持たせ、このＩＤ情報からも前記取付本体に関する情報を参照可能である情報システム及び情報保持体を提供する。【解決手段】固有情報を格納した情報担体と、当該情報担体が取付けられる取付本体と、を備え、前記固有情報に基づいて当該取付本体に関する情報を参照する情報システム１００である。前記取付本体にＩＤ情報を持たせ、当該ＩＤ情報からも、前記情報担体に格納された固有情報に基づいて参照される情報と同じ情報を参照可能とした。【選択図】　　　　図２
2004013501.tif 000002
【特許請求の範囲】
【請求項１】
固有情報を格納した情報担体と、当該情報担体が取付けられる取付本体と、を備え、前記固有情報に基づいて当該取付本体に関する情報を参照する情報システムであって、
前記取付本体にＩＤ情報を持たせ、当該ＩＤ情報からも、前記情報担体に格納された固有情報に基づいて参照される情報と同じ情報を参照可能とした情報システム。
【請求項２】
前記ＩＤ情報が、前記固有情報と同じ情報である請求項１記載の情報システム。
【請求項３】
前記ＩＤ情報が、前記固有情報と異なった情報である請求項１記載の情報システム。
【請求項４】
前記ＩＤ情報が製造シリアル番号である請求項３記載の情報システム。
【請求項５】
前記情報担体を複数備え、前記取付本体に、当該複数の情報担体の各々に対応したＩＤ情報を持たせた請求項１ないし請求項３のいずれか一項に記載の情報システム。
【請求項６】
固有情報を格納した情報担体と、当該情報担体が取付けられる取付本体と、を備え、前記固有情報に基づいて当該取付本体に関する情報が参照される情報保持体であって、
前記取付本体がＩＤ情報をさらに供え、当該ＩＤ情報からも、前記情報担体に格納された固有情報に基づいて参照される情報と同じ情報を参照可能な情報保持体。
【請求項７】
前記ＩＤ情報が、前記固有情報と同じ情報である請求項６記載の情報保持体。
【請求項８】
前記ＩＤ情報が、前記固有情報と異なった情報である請求項６記載の情報保持体。
【請求項９】
前記ＩＤ情報は記号であり、目視により識別可能な状態で前記取付本体に設けられてなる請求項６ないし請求項８のいずれか一項に記載の情報保持体。
【請求項１０】
前記ＩＤ情報が製造シリアル番号である請求項９記載の情報保持体。
【請求項１１】
前記情報担体を複数備え、前記取付本体に、当該複数の情報担体の各々に対応したＩＤ情報を持たせた請求項６ないし請求項１０のいずれか一項に記載の情報システム。
【請求項１２】
前記取付本体が工具ホルダである請求項６ないし請求項１１のいづれか一項に記載の情報保持体。
【発明の詳細な説明】
【０００１】
【発明が属する技術分野】
本発明は、固有情報を格納した情報担体と、当該情報担体が取付けられる取付本体と、を備え、前記固有情報に基づいて当該取付本体に関する情報を参照する情報システム及びこのシステムで使用される情報保持体に関する。
【０００２】
【従来の技術】
従来から、例えば、磁気カード、ＩＣカード、バーコード、ＲＦＩＤ（Ｒａｄｉｏ　Ｆｒｅｑｕｅｎｃｙ　ＩＤｅｎｔｉｆｉｃａｔｉｏｎ：電波方式認識）等、種々の物品（取付本体）に関する固有情報を格納した情報担体を、当該物品（取付本体）に取付けてなる情報保持体がある。この情報保持体を使用して、前記物品の識別、照合、管理、搬送等を行うシステムが、物流、ＦＡ（Ｆａｃｔｏｒｙ　Ａｕｔｏｍａｔｉｏｎ）、医療等、多岐にわたる様々な分野で利用されている。
【０００３】
近年では、情報を書込んだ情報担体としてのＩＣチップを非接触で読取ることができるＲＦＩＤ技術を利用した非接触自動識別システムが、製品の組立・搬送ラインシステムや検査ライン、製品管理、製品在庫や発注管理、作業情報管理、工具管理等で広く使用されている。その一例として、例えば、製造工場等では、ＩＣチップを工作機械用の工具に取付け、工作機械への工具の取付けミスの防止や、段取性の向上、工具が持つ履歴の確認、オフセット情報の自動登録、所在管理等に利用されている。また、ＰＣネットワークにより、製造工場（現場）の情報を共有することで、生産効率や品質の向上、加工ノウハウの蓄積等を行っている。
【０００４】
このような従来の情報保持体では、取り扱いの不備等により取付本体に取付けられた情報担体が破損したり故障する等して、当該情報担体に格納されている情報が認識できなくなる場合がある。この場合、破損した情報担体が取付けられている取付本体（物品）の外観から認識できる情報、例えば、取付本体に表示されている型式や商品名等を判別している。
【０００５】
【発明が解決しようとする課題】
しかしながら、前記従来の情報保持体は、情報担体が破損する等して、当該情報担体に格納されている情報が認識できなくなった場合、前記型式や商品名等から取付本体の価格等は引き当てることができるが、前記型式や商品名等からでは、取付本体の一意の情報を判別することができない。このため、前述した従来の技術に記載したような様々な情報を引き当てることができなくなってしまう。
【０００６】
本発明は、このような従来の問題点を解決することを課題とするものであり、情報保持体の取付本体に、固有情報を格納した情報担体を取付ける他に、ＩＤ情報を持たせ、このＩＤ情報からも前記取付本体に関する情報を参照可能である情報システム及び情報保持体を提供することを目的とする。
【０００７】
【課題を解決するための手段】
この目的を達成するため、本発明は、固有情報を格納した情報担体と、当該情報担体が取付けられる取付本体と、を備え、前記固有情報に基づいて当該取付本体に関する情報を参照する情報システムであって、前記取付本体にＩＤ情報を持たせ、当該ＩＤ情報からも、前記情報担体に格納された固有情報に基づいて参照される情報と同じ情報を参照可能とした情報システムを提供するものである。
【０００８】
また、本発明は、固有情報を格納した情報担体と、当該情報担体が取付けられる取付本体と、を備え、前記固有情報に基づいて当該取付本体に関する情報が参照される情報保持体であって、前記取付本体がＩＤ情報をさらに供え、当該ＩＤ情報からも、前記情報担体に格納された固有情報に基づいて参照される情報と同じ情報を参照可能な情報保持体を提供するものである。
【０００９】
この構成を備えた情報システム及び情報保持体では、取付本体自身に持たせたＩＤ情報からも前記取付本体に関する情報を参照可能であるため、例えば、情報担体が破損する等して、当該情報担体に格納されている情報が認識できなくなった場合であっても、本来、情報担体に格納された固有情報に基づいて参照される情報を、前記ＩＤ情報から参照することができる。また、新しい情報担体を製造したり、修復することもできる。
【００１０】
前記ＩＤ情報は、前記固有情報と同じ情報であってもよく、異なった情報であってもよい。また、前記ＩＤ情報は、製造シリアル番号であってもよい。
【００１１】
また、本発明にかかる情報システム及び情報保持体では、前記取付本体に前記情報担体を複数設け、当該取付本体に、前記複数の情報担体の各々に対応したＩＤ情報を持たせることもできる。このように、情報担体を複数備えることで、前述した利点に加え、前記情報担体自身の記憶容量を変更せずに、かつ当該情報の通信時間を長くすることなく、全体としての記憶容量を増加することができる。また、例えば、通信しようとする高周波電波を電源としてＩＣチップ内に電力を蓄え、これを電源として動作するタイプを適用した場合であっても、情報担体１個当たりの駆動電力が大きくなることがない。
【００１２】
そしてまた、前記ＩＤ情報は記号であり、この記号は目視により識別可能な状態で前記取付本体に設けることができる。
【００１３】
さらにまた、前記取付本体としては、例えば、工具ホルダ、工作物取付治具、刃物、刃物のカートリッジ、旋盤、携帯端末、各種部品、自動搬送車、各種容器、各種装置など、様々な物品が挙げられる。
【００１４】
【発明の実施の形態】
次に、本発明の実施の形態にかかる情報システム及び情報保持体について図面を参照して説明する。
【００１５】
図１は、本実施の形態にかかる情報保持体の正面図、図２は、図１に示す情報保持体を使用するシステムの概念を示す模式図、図３は、図２に示す情報保持体を使用する情報システムのブロック図、図４及び図５は、本実施の形態にかかる情報システムの構成要素である制御装置のデータベースの一例を示す図、図６は、本実施の形態にかかる情報システムの構成要素である表示器に表示されたサービス画面の一例を示す図である。
【００１６】
図１に示す情報保持体１は、情報担体としてのＲＦＩＤタグ１０と、このＲＦＩＤタグ１０が取付けられている取付本体としての工具ホルダ１１と、を備えて構成されている。
【００１７】
ＲＦＩＤタグ１０は、工具ホルダ１１に関する固有情報として、コード番号が格納されている。なお、本実施の形態では、ＲＦＩＤタグ１０として、通信しようとする高周波電波を電源としてタグ内部に電力を蓄え、これを電源として動作する方式のものを使用した。
【００１８】
工具ホルダ１１は、基準の回転軸線Ｏを有し、その先端には刃物６が装着されている。この工具ホルダ１１は、図示しない工作機械の主軸のテーパー孔に嵌合するテーパシャンク部１２を備えている。また、この工具ホルダ１１は、テーパシャンク部１２に連接して前記主軸の端面に対向する鍔部１３が形成されており、この鍔部１３には、その外周面に周知のマニピュレータ把持用溝１４が形成されている。また、鍔部１３の外周部には、凹部１５が各々形成されており、この凹部１５に、ＲＦＩＤタグ１０が取付けられている。さらに、鍔部１３の外周部であって、凹部１５の近傍には、ＩＤ情報としての製造シリアル番号１６が、例えばレーザー刻印されている。
【００１９】
この情報保持体１を製造するにあたり、まず、取付本体としての工具ホルダ１１を製造する際に、工具ホルダ１１の凹部１５の近傍に製造シリアル番号をレーザ刻印し、この製造シリアル番号と型式をコンピュータに入力する。このコンピュータは、工具ホルダ１１の製造シリアル番号及び型式と、コード番号とを対応させるテーブル（図４参照）を備えており、入力された製造シリアル番号及び型式に対応するコード番号を出力し、このコード番号が、ＲＦＩＤタグ１０に格納される。このＲＦＩＤタグ１０が工具ホルダ１１に取付けられる。
【００２０】
次に、情報保持体１を使用する情報システム１００について、図面を参照して説明する。
【００２１】
図２及び図３に示すように、情報保持体１を使用する情報システム１００は、ＲＦＩＤタグ１０からの情報を読取る読取装置１０１と、読取装置１０１で読取った情報を処理する制御装置１０２と、制御装置１０２にネットワークを介して接続されたサービス情報記憶サーバー１０３と、制御装置１０２に接続された入力装置１１０と、表示器１０９と、を備えている。
【００２２】
読取装置１０１は、ＲＦＩＤタグ１０からの情報を受信するアンテナ１０５と、アンテナ１０５により受信した情報を読取る読取器１０６と、を備えて構成されている。
【００２３】
入力装置１１０は、例えば、キーボード、マウス、スキャナ等からなり、ユーザーが知りたい情報を入力したり、あるいは、ＲＦＩＤタグ１０に格納された情報の読取が不可能になった場合には、情報保持体１の工具ホルダ１１に記載されている製造シリアル番号を入力するために使用される。
【００２４】
制御装置１０２は、ＲＦＩＤタグ読取ソフトウエア１０７と、情報閲覧ソフトウエア１０８と、情報変換ソフトウエア１１１と、を備えて構成されている。
【００２５】
情報変換ソフトウエア１１１は、図４に示すように、入力装置１１０から入力された工具ホルダ１１の製造シリアル番号及び型式と、この工具ホルダ１１に取付けられているＲＦＩＤタグ１０に格納されているコード番号とを対応させるテーブルを備えており、製造シリアル番号によって特定されるコード番号をＲＦＩＤタグ読取ソフトウエア１０７に出力する。すなわち、後に詳述するが、この情報変換ソフトウエア１１１からＲＦＩＤタグ読取ソフトウエア１０７に入力される情報は、読取装置１０１から入力される情報と同じ情報となる。
【００２６】
ＲＦＩＤタグ読取ソフトウエア１０７は、例えば、工具ホルダの履歴情報、アプリケーションに関する情報、工具ホルダの段取指示、使用合計時間、残り寿命、作業情報管理、工具在庫管理、工具ホルダのカタログ、マニュアル、仕様、切削推奨条件、景品ポイント、製品に関連したニュース等、種々のメニューを有している。
【００２７】
このＲＦＩＤタグ読取ソフトウエア１０７では、図５に示すように、読取装置１０１から入力された情報（コード番号）あるいは、情報変換ソフトウエア１１１から入力された情報（製造シリアル番号に基づいて変換されたコード番号）と、入力装置１１０から入力されたユーザーが指定する所定のメニュー項目とを対応させるテーブルを備えている。ＲＦＩＤタグ読取ソフトウエア１０７では、このテーブルから検索された情報を情報閲覧ソフトウエア１０８に出力する。
【００２８】
情報閲覧ソフトウエア１０８では、前記ユーザーによって指定されたメニュー項目に関する情報が、制御装置１０２内部のデータベースに格納されている情報である場合は、前記テーブルにより検索された情報に基づいて、このデータベースから必要な情報を検索し、この検索結果を任意のレイアウトで表示器１０９に出力する。
【００２９】
一方、前記ユーザーによって指定されたメニュー項目に関する情報が、制御装置１０２内部のデータベースに格納されておらず、サービス情報記憶サーバ１０３から提供される場合は、情報閲覧ソフトウエア１０８は、前記テーブルにより検索された情報に基づいてサービス情報記憶サーバ１０３から必要な情報を検索し、この検索結果を例えば図６に示すように、任意のレイアウトで表示器１０９に出力する。
【００３０】
このように、本発明にかかる情報システム１００は、読取装置１０１から読取った情報、あるいは入力装置１００から情報変換ソフトウエア１１１を経由して入力された情報のいずれからでも、任意の情報を得ることができる。したがって、例えば、ＲＦＩＤタグ１０が破損する等して、ＲＦＩＤタグ１０に格納されているコード番号が認識できなくなった場合であっても、本来、ＲＦＩＤタグ１０に格納されたコード番号に基づいて参照される情報を、工具ホルダ１１に記載された製造シリアル番号から参照することができる。また、新しいＲＦＩＤタグ１０を再製造したり、情報を修復することもできる。
【００３１】
次に、本実施の形態にかかる情報システムの具体的動作について説明する。
【００３２】
例えば、ユーザーが、情報保持体１の工具ホルダ１１の履歴情報を知りたい場合、この工具ホルダ１１に取付けられているＲＦＩＤタグ１０に格納されている情報（コード番号）をアンテナ１０５を介して読取器１０６で読取る。読取装置１０１は、この読取った情報を制御装置１０２のＲＦＩＤタグ読取ソフトウエア１０７に出力する。一方、ユーザーが、前記メニュー項目から「履歴情報」を選択すると、この情報が制御装置１０２のＲＦＩＤタグ読取ソフトウエア１０７に入力される。
【００３３】
制御装置１０２では、ＲＦＩＤタグ読取ソフトウエア１０７が、「コード番号」と、「履歴情報」とを対応させるテーブル（図５参照）を参照し、特定された情報を情報閲覧ソフトウエア１０８に出力する。情報閲覧ソフトウエア１０８では、この履歴情報が、制御装置１０２のデータベースに格納されている場合は、前記特定された情報に基づき、このデータベースから必要な履歴情報を検索し、この検索結果を任意のレイアウトで表示器１０９に出力する。
【００３４】
一方、ＲＦＩＤタグ１０が破損する等して、ＲＦＩＤタグ１０格納されている情報（コード番号）が認識できなくなった場合、ユーザーは、目視で、工具ホルダ１１に記載されている製造シリアル番号を読み、この番号を入力装置１１０から入力する。この情報は、情報変換ソフトウエア１１１に入力され、情報変換ソフトウエア１１１では、前述したテーブル（図４参照）を参照してこの製造シリアル番号に対応するコード番号を検索し、この検索したコード番号をＲＦＩＤタグ読取ソフトウエア１０７に出力する。また、ユーザーが前記メニュー項目から「履歴情報」を選択すると、この情報が制御装置１０２のＲＦＩＤタグ読取ソフトウエア１０７に入力される。これ以降の処理は、前述した通りである。
【００３５】
また、例えば、サービス情報記憶サーバ１０３が提供する工具ホルダ１１に関わるニュースを知りたいが、この情報が制御装置１０２のデータベースに格納されておらず、ネットワークを介して接続されているサービス情報記憶サーバ１０３から提供される場合は、前記制御装置１０２のデータベースを参照する代わりに、サービス情報記憶サーバ１０３が提供するデータベースを参照すればよい。
【００３６】
なお、本実施の形態では、情報担体（本実施の形態ではＲＦＩＤタグ１０）が取付けられる取付本体として、図１に示すような工具ホルダ１１を用いた場合について説明したが、これに限らず、取付本体としては、例えば、工作物取付治具、刃物、刃物のカートリッジ、旋盤、携帯端末、各種部品、自動搬送車、各種容器、各種装置など、多岐にわたり採用することができる。
【００３７】
また、情報担体としては、ＲＦＩＤタグ１０に限らず、例えば、バーコード等、固有情報を格納可能なものであれば、特に限定されるものではない。
【００３８】
さらにまた、本実施の形態では、ＲＦＩＤタグ１０に、工具ホルダ１１に関するコード番号を格納し、工具ホルダ１１に製造シリアル番号を記載した場合について説明したが、これに限らず、ＲＦＩＤタグ１０に格納する情報と、工具ホルダ１１に記載する情報は、同一であってもよい。また、製造シリアル番号やコード番号に限らず、工具ホルダ１１に関する特定の情報であれば、他の情報をＲＦＩＤタグ１０に格納してもよく、工具ホルダ１１に記載してもよい。
【００３９】
そしてまた、本実施の形態では、１つの情報担体と、これに対応する１つのＩＤ情報を備えた情報保持体について説明したがこれに限らず、本発明にかかる情報保持体は複数の情報担体を備え、これら複数の各々の情報担体に対応するＩＤ情報を備えてもよい。この場合、各々の情報担体は、互いに異なる任意の色で構成し、ユーザーが各々の情報担体の用途や内容等を簡単に識別することができ、素早く容易に必要とする情報を得ることができるようにすることもできる。
【００４０】
そしてまた、本実施の形態では、管理情報が予め格納されたＣＤ、ＤＶＤ、ＦＤ、ＨＤ等を使用することもできる。
【００４１】
なお、本実施の形態は、本発明を説明するための例示であり、本発明をこの実施形態にのみ限定するものではない。本発明は、その要旨を逸脱しない限り、様々な形態で実施することができる。したがって、動作に矛盾が生じない限り、処理の順序を入れ替える、または並行動作するように構成してもよい。
【００４２】
【発明の効果】
以上説明したように、本発明は、情報保持体の取付本体に、固有情報を格納した情報担体を取付けると共にＩＤ情報を持たせ、このＩＤ情報からも前記取付本体に関する情報を参照可能であるため、例えば、情報担体が破損する等して、当該情報担体に格納されている情報が認識できなくなった場合であっても、本来、情報担体に格納された固有情報に基づいて参照される情報を、前記ＩＤ情報から参照することができる。また、新しい情報担体を製造したり、修復することもできるという効果も有する。
【図面の簡単な説明】
【図１】本実施の形態にかかる情報保持体の正面図である。
【図２】図１に示す情報保持体を使用するシステムの概念を示す模式図である。
【図３】図２に示す情報保持体を使用するシステムのブロック図である。
【図４】本実施の形態にかかる情報システムの構成要素である制御装置のデータベースの一例を示す図である。
【図５】本実施の形態にかかる情報システムの構成要素である制御装置のデータベースの一例を示す図である。
【図６】本実施の形態にかかる情報システムの構成要素である表示器に表示されたサービス画面の一例を示す図である。
【符号の説明】
１　　情報保持体
６　　刃物
１０　　ＲＦＩＤタグ
１１　　工具ホルダ
１６　　製造シリアル番号
１００　　情報システム
１０１　　読取装置
１０２　　制御装置
１０３　　サービス情報記憶サーバ
１０７　　ＲＦＩＤタグ読取ソフトウエア
１０８　　情報閲覧ソフトウエア
１０９　　表示器
１１０　　入力装置
１１１　　情報変換ソフトウエア
【図１】
2004013501.tif 000003
【図２】
2004013501.tif 000004
【図３】
2004013501.tif 000005
【図４】
2004013501.tif 000006
【図５】
2004013501.tif 000007
【図６】
2004013501.tif 000008